(57)【要約】【課題】  洗濯物の収納が簡単にできるフック部取り外し可能洗濯ハンガーを提供する。【解決手段】  矩形の４頂点に吊棒連結部６を備え、かつ少なくとも頂点間を結ぶ１対の平行枠部を有する環状の枠体と、前記枠体の平行枠部にそれぞれ取り付けられた複数の洗濯ばさみと、前記吊棒一連結部に連結される、中間を屈折可能に連結した屈折部４を有する吊棒３と、前記平行枠部の両端に連結された両吊棒の先端同士接続させる吊り下げ連結部分２と、前記吊り下げ連結部分２を挟んで接合させる挟み付け部１ｂを下部に備えるとともに吊り下げ部１ａを上部に備えた接合フック１と、他の枠の中間に接合フック１を固定できるフックの受け部７を備え、接合フック１を受け部７に移し変えて枠を縦吊り状態にし、吊棒３が垂直状態になることで収納が容易にできることを特徴とした洗濯ハンガー。【選択図】図２
2008237861.tif 000002
【特許請求の範囲】
【請求項１】
矩形の４頂点に吊棒連結部６を備え、かつ少なくとも頂点間を結ぶ１対の平行枠部を有する環状の枠体と、前記枠体の平行枠部にそれぞれ取り付けられた複数の洗濯ばさみと、前記吊棒一連結部に連結される、中間を屈折可能に連結した屈折部４を有する吊棒３と、前記平行枠部の両端に連結された両吊棒の先端同士接続させる吊り下げ連結部分２と、前記吊り下げ連結部分２を挟んで接合させる挟み付け部１ｂを下部に備えるとともにフック１ａを上部に備えた接合フック１と、他の枠の中間に接合フック１を固定できるフックの受け部７を備え、接合フック１を受け部７に移し変えて枠を縦吊り状態にし、吊棒３が垂直状態になることで収納が容易にできることを特徴とした洗濯ハンガー。
【請求項２】
前記吊棒３における屈折部４の位置が前記吊り下げ接合部分２に接合された端部から、平行枠部の両側の吊棒の長さの和から平行枠間の長さを引いてそれを半分にした長さの位置に設けられたことを特徴とする請求項１に記載の洗濯ハンガー。
【発明の詳細な説明】
【技術分野】
【０００１】  本発明は、洗濯物を干す際には横状態で使用し、乾燥後には接合フックを受け部に移し変えて枠を縦吊り状態にし、吊棒が垂直状態になることで収納が容易にできることを特徴とした洗濯ハンガーに関するものである。
【技術背景】
【０００２】  従来の洗濯ハンガーは、洗った洗濯物を洗濯ハンガーに備え付けられている洗濯ばさみに取り付けた後干し、洗濯物が乾いたら洗濯ばさみから洗濯物を取り外し、洗濯物をしわにならないように畳んだ後、箪笥クローゼット等へ収納する必要がある。
【特許文献１】特開２００５−３１９２４９号公報
【発明の開示】
【発明が解決しようとする課題】
【０００３】  そのために、次のような問題点があった。
（イ）ハンガーの枠本体の両サイドから吊棒を斜め上に伸ばしてその交点にフック部を固定させているので洗濯ばさみから洗濯物を外さないと収納できない。
（ロ）従来の洗濯ハンガーは枠を補強するために枠の中央部に補強部分が備えてあるので縦状態での使用時に洗濯物を探しにくい。
（ニ）しかし家事等で忙しくすぐには畳んで収納することができない場合、部屋にそのまま吊るしておくことになり、みっともないし、部屋が狭くなって空間の無駄遣いとなってしまう。
【問題を解決するための手段】
【０００４】  矩形の４頂点に吊棒連結部６を備え、かつ少なくとも頂点間を結ぶ１対の平行枠部を有する環状の枠体と、前記枠体の平行枠部にそれぞれ取り付けられた複数の洗濯ばさみと、前記吊棒連結部に連結される、中間を屈折可能に連結した吊棒と、前記平行枠部の両端に連結された両吊棒の先端同士接続させる吊り下げ連結部分２と、前記吊り下げ連結部分２を挟んで接合させる挟み付け部１ｂを下部に備えるとともにフック１ａを上部に備えた接合フック１と、前記吊棒３の屈折部４の位置を平行枠部の両側の吊棒３の長さの和から平行枠間の長さを引いてそれを半分にした長さを端部からの位置に設け、他の枠の中間に接合フック１を固定できる受け部７を備え、接合フック１を受け部７に移し変えて枠を縦吊り状態にし、吊棒３が垂直状態になることで収納が容易にできることを特徴とした洗濯ハンガー。
【発明の効果】
【０００５】  本発明は、接合フックの付け替えだけで、従来の洗濯ハンガーに必要であった洗濯物を洗濯ばさみから外して畳んで収納するという煩わしさがなくなる。
【発明を実施するための最良の形態】
【０００６】  以下、本発明の実施の形態を図面に基づいて説明する。【０００７】  図１は接合フック１を吊り下げ接合部分２に取り付けた状態である。本発明の横状態での使用状態を示す斜視図である。横状態で洗濯物を洗濯ばさみに取り付け乾かす。【０００８】  図２は。接合フック１を吊り下げ接合部分２から外した状態を示す。接合フックと吊棒が取り外し出来る事により洗濯物を選んで取り出し易い。【０００９】  図３は接合フック１の拡大図である。接合フック１はフック１ａ、挟み付け部１ｂ、止め板１ｃ、レバー１ｄから成っている。止め板１ｃが閉じた状態においてレバー１ｄを下向きに操作するとレバー１ｄと一体化している止め板１ｃが開きここに吊り下げ接合部分２あるいは受け部７を入れ込んでレバー１ｄを逆方向に動かすことにより接合フック１と吊り下げ接合部分２あるいは受け部７とが固定された状態となる。【００１０】  図４は吊り下げ接合部分２の拡大図である。吊り下げ接合部分２は図１に示す吊棒連結部６から出ている吊棒３に接続している。吊り下げ接合部分２には上下２つずつの凸部２ａが所定の間隔を保って設けられている。所定の間隔とは接合フック１の挟み付け部１ｂに吊り下げ結合部分２に挿入部２ｂが収まる間隔をいう。この２つの凸部２ａの間が挿入部分となる。２つある吊り下げ接合部分２の挿入部分２ｂに接合フック１を取り付ける。上下２つずつの凸部２ａがあることで接合フック１が左右にずれることなく固定される。（図１、図２参照）【００１１】  図５は縦状態で使用する場合の接合フック１を外した状態である。本体５には受け部７が設けられている。受け部７の受け部挿入部７ｂは挟み付け部１ｂの幅と同じ幅で、かつ上下左右に受け部凸部７ａを設け、接合フック１を取り付けたとき左右にずれるのを防ぐ。縦状態で干すとき接合フック１を受け部７に取り付け固定する。縦状態とは図１の様に本体が横状態にある吊り下げ結合部分２から接合フック１を取り外して図５の様に本体を縦状に吊るす事を言う。図面に示す様にこの状態で靴下Ａ、タオルＢ、肌着Ｃなどの洗濯物を干すことが出来る。【００１２】  図６は縦状態で接合フック１を受け部７に取り付けた時の状態である。竿に接合フック１を掛けて吊棒３が垂直に下がっていることにより狭い空間でも使用できる。つまり図１の様に本体を横状に吊るすと横方向に空間を多く使うのに対し図６の様に本体を縦状態に吊るすと極めて狭い空間の使用で済む。【００１３】  図７は縦状態での本発明の複数使用の状態である。複数個使用することにより狭い場所でも多くの衣類の収納ができる。【００１４】  図８は本発明の施行形態は四角だけではなく図面に示すような形でも十分実施可能であり特に機能上問題はない。
本発明は以上の構成によりなっている。【００１５】  本発明を使用するときは図１の接合フック１を吊り下げ接合部分２に取り付けた状態で洗濯物を干す。洗濯物が乾いたら接合フック１のレバー１ｄを下向きに操作すると連動して止め板１ｃが上方向に上がることにより挟み付け部１ｂが開き挟まれていた吊下げ接合部分２を取り外す。次に本体を縦状態にし上部の受け部７の受け部挿入部７ｂに接合フック１を装着する。すると縦状態にしたハンガーをそのままクローゼット等へ収納することが出来る。狭いクローゼット等の空間でもハンガーを複数個並べてより多くの収納をすることが出来る。その収納した衣類を使用するときには洗濯ばさみを外して衣類を取れば良い。すなわち洗濯物をハンガーから取り外すこと無く吊り下げたままでクローゼット等に収納でき使用するときにのみハンガーから取り外して使用することが出来る。このときハンガーの内側に通常ある補強部分を外しているので使用したい衣類を探し易い。
【図面の簡単な説明】
【００１６】
【図１】吊り下げ接合部分に接合フックを取り付けた図
【図２】吊り下げ接合部分から接合フックを外した状態を示す図。
【図３】接合フックの（イ）が止め板を閉じた状態の側面図（ロ）が正面図（ハ）が側面図で止め板を開いた状態。
【図４】吊り下げ接合部分
【図５】受け部
【図６】本発明の使用状態を示す斜視図
【図７】本発明の複数の使用状態を示す斜視図
【図８】本発明の他の実施形態を示す参考斜視図
【符号の説明】
【００１７】    １  接合フック
１ａフック
１ｂ挟み付け部
１ｃ止め板
１ｄレバー
２  吊下げ接合部分
２ａ凸部
２ｂ挿入部
３  吊棒
４  屈折部
５  本体
６  吊棒連結部
７  受け部
７ａ受け部凸部
７ｂ受け部挿入部
Ａ  靴下
Ｂ  タオル
Ｃ  肌着
【図１】
2008237861.tif 000003
【図２】
2008237861.tif 000004
【図３】
2008237861.tif 000005
【図４】
2008237861.tif 000006
【図５】
2008237861.tif 000007
【図６】
2008237861.tif 000008
【図７】
2008237861.tif 000009
【図８】
2008237861.tif 000010